(57)【要約】【課題】軸受に作用するスラスト荷重に対して取付強度を高めることのできる索道用握索機の走行ローラーを提供すること。【解決手段】索道の握索機２０に回転自在に備えて停留場の走行レールを転動する走行ローラー２１であって、この走行ローラー２１は、合成樹脂で形成したローラー本体２４と、ローラー本体２４に嵌挿した軸受２５と、軸受２５とローラー本体２４とを固定する止め輪２６とを備えており、軸受２５の外周に止め輪溝３４を周設して止め輪２６を嵌着した。【選択図】図４
2020192845.tif 000002
【特許請求の範囲】
【請求項１】
索道の握索機に回転自在に備えて停留場の走行レールを転動する走行ローラーであって、該走行ローラーは、合成樹脂で形成したローラー本体と、該ローラー本体に嵌挿した軸受と、該軸受と前記ローラー本体とを固定する止め輪と、を備え、前記軸受の外周に止め輪溝を周設して前記止め輪を嵌着したことを特徴とする索道用握索機の走行ローラー。
【発明の詳細な説明】
【技術分野】
【０００１】
本発明は、自動循環式索道等の搬器に備えて索条を握放索するとともに、停留場内では走行レール上を走行する索道用握索機の走行ローラーに関する。
【背景技術】
【０００２】
自動循環式索道は、停留場に枢設した滑車間に索条を無端状に張架して高速で循環移動させ、索道線路中において搬器に備えた握索機が索条を握索し、索条の移動とともに搬器が高速で移動する。停留場内においては、握索機が索条を放索して停留場内に架設した走行レール上を走行し、この間に搬器の減速、加速及び低速で回送移送を行って乗客の乗降が行われる。走行レールは、上部に凹状の溝が形成された形状であって、停留場内で平面視においてＵ字状に架設されており、握索機に備えた走行ローラーが走行レールの溝の中を転動することにより握索機が誘導される（例えば、特許文献１参照）。
【０００３】
図５は、従来技術の一例を示す走行ローラーの断面図である。図において走行ローラー１０５は、ローラー本体１０８と、軸受１０６と、止め輪１０７とを備えている。ローラー本体１０８は、合成樹脂により形成されており、中央に円形空洞を有するとともに、この円形空洞に止め輪溝が形成されている。円形空洞には軸受１０６が嵌挿され、軸受１０６の外輪の両側に止め輪１０７を装着してローラー本体１０８と軸受１０６とが固定されている。軸受１０６は、以下説明するように握索機ボディー１０１に嵌着したシャフト１０２に回転自在に支持されている。シャフト１０２の軸受１０６側端部にはフランジ部１０４が形成されており、他方の握索機ボディー１０１側端部にはネジが形成されてナット１０３が装着されている。そしてナット１０３を締め込むことにより、軸受１０６の内輪がフランジ部１０４と握索機ボディー１０１とに挟み込まれて固定されている。以上の構成により、走行ローラー１０５が走行レール１０９上を転動し握索機が移動する。
【先行技術文献】
【特許文献】
【０００４】
【特許文献１】特開２００３−１７６８１７号公報
【発明の概要】
【発明が解決しようとする課題】
【０００５】
上記したように、走行レールは停留場内において平面視Ｕ字状に架設されており、握索機が走行レールの曲線部分を通過するときには、走行ローラーが走行レールの溝の内面に接触しながら転動することになり、このときに軸受にはスラスト方向の外力が作用する。この外力は、握索機が走行レールの曲線部分を通過するたびに繰り返し作用するものであり、軸受を固定している止め輪が経年使用等により性能劣化している場合には、外力の作用により走行ローラーがシャフトから外れてしまう場合がある。
【０００６】
本発明は、このような事情に鑑みてなされたものであって、軸受に作用するスラスト荷重に対して取付強度を高めることのできる索道用握索機の走行ローラーの提供を目的としている。
【課題を解決するための手段】
【０００７】
請求項１の発明は、索道の握索機に回転自在に備えて停留場の走行レールを転動する走行ローラーであって、該走行ローラーは、合成樹脂で形成したローラー本体と、該ローラー本体に嵌挿した軸受と、該軸受と前記ローラー本体とを固定する止め輪と、を備え、前記軸受の外周に止め輪溝を周設して前記止め輪を嵌着したことを特徴としている。
【発明の効果】
【０００８】
本発明によれば、軸受の外周に止め輪溝を周設し、ここに止め輪を嵌着してローラー本体と軸受とを固定するようにしたことにより、より硬度の高い止め輪溝に止め輪が装着されるので、軸受に作用するスラスト荷重に対して取付強度を高めることができる。
【図面の簡単な説明】
【０００９】
【図１】自動循環式索道の模式図
【図２】停留場内における搬器の正面図
【図３】握索機の側面図
【図４】走行ローラー取付部の断面図
【図５】従来技術の一例を示す走行ローラーの断面図
【発明を実施するための形態】
【００１０】
以下、本発明の具体的な実施の形態を図面を参照して説明する。本実施の形態においては、索道設備の代表例として自動循環式索道により説明を行う。図１は、自動循環式索道の模式図である。自動循環式索道１０は、線路の両端部に停留場１１及び停留場１２を有しており、各停留場１１、１２には、原動滑車１３及び従動滑車１４を回転自在に備えている。原動滑車１３と従動滑車１４には、索条１５が無端状に巻き掛けられており、原動滑車１３を回転駆動することにより、索条１５は両停留場１１、１２間を循環して移動する。索条１５には、線路中で所定の間隔となるように複数の搬器１８が懸垂される。
【００１１】
搬器１８は索条１５に着脱自在であって、線路中では索条１５に取り付けられて索条１５とともに移動し、停留場１１、１２内では索条１５から切り離される。停留場１１、１２には、平面視Ｕ字状の走行レール１６及び走行レール１７がそれぞれ敷設されており、索条１５から切り離された搬器１８は、走行レール１６、１７に沿って次のように移動する。まず、停留場１１、１２に到着した搬器１８は、索条１５から切り離されるとともに、走行レール１６、１７に乗り移り、走行レール１６、１７に沿って設けられた移送装置により減速させられる。乗客が乗降可能な速度まで搬器１８が減速すると、その速度を保って停留場１１、１２内を出発側へ折返し、この間に乗客の乗降が行われる。出発側へ折り返した搬器１８は、索条１５の速度と同一速度にまで加速させられた後、索条１５に取り付けられるとともに走行レール１６、１７から離脱して線路中へ出発する。
【００１２】
図２は、停留場１１、１２内における搬器１８の正面図である。搬器１８は、握索機２０とサスペンダー２２と客車２３とを備えている。握索機２０は、索条１５を握索及び放索するものであって、握索機２０にはサスペンダー２２が進行方向へ揺動自在に枢支されており、さらにサスペンダー２２の下端部に弾性材を介して客車２３が吊下されている。握索機２０には、進行方向に沿って回転可能な走行ローラー２１を備えており、停留場１１、１２内においては、握索機２０が索条１５を放索するとともに走行ローラー２１が走行レール１６、１７上を転動して搬器１８が移動する。。
【００１３】
図３は、握索機２０の側面図であり、図４は、握索機２０の走行ローラー２１取付部の断面図である。走行ローラー２１は、ローラー本体２４と軸受２５と止め輪２６とからなっている。ローラー本体２４は、合成樹脂により形成されており、中心部を貫通して段付状に円形空洞が形成されており、この中心位置に軸受２５が嵌挿されている。軸受２５は、外輪３１の幅が内輪３２の幅よりも大きく形成されており、外輪３１の幅はローラー本体２４の幅と略同一となっている。外輪３１の外周には、両端部の近傍に止め輪溝３４が周設されており、この止め輪溝３４に止め輪２６を嵌着している。両止め輪２６の軸方向内面間の間隔は、ローラー本体２４の段付部外面間の間隔と同一となっており、これによりローラー本体２４が軸受２５に固定されている。
【００１４】
次に、走行ローラー２１は、以下のようにして握索機ボディー３３に取付られている。握索機ボディー３３には、軸受２５の内径と同一径の取付孔３５が穿孔されており、この取付孔３５と軸受２５とを通してシャフト２７が挿通されている。シャフト２７の軸受２５側端部には、外形を大きくしたフランジ部２８が形成されており、他方の握索機ボディー３３側端部には、雄ネジ２９が形成されている。この雄ネジ２９には、ナット３０が装着されており、これが締め込まれて軸受２５の内輪３２がフランジ部２８と握索機ボディー３３に挟まれ固定されている。このように取り付けられた走行ローラー２１は、停留場１１、１２内で搬器１８の荷重を支持するとともに、走行レール１６、１７上を転動して搬器１８が移動する。
【００１５】
以上の構成によれば、止め輪溝３４を軸受２５に設けたことにより、合成樹脂により形成されたローラー本体２４には溝を形成する必要がない。したがって、走行レール１６、１７側面との接触によるスラスト荷重に対しては、止め輪２６に作用する荷重を合金である軸受２５の止め輪溝３４で受けるので、ローラー本体２４側に溝を形成した場合に比して取付強度を高めることができる。また、上記構成においては、ローラー本体２４を軸受２５に直接嵌着する構成としており、ローラー本体２４に金心等を用いる必要がないので安価に製造することができる。
【符号の説明】
【００１６】
１０  自動循環式索道
１１  停留場
１２  停留場
１３  原動滑車
１４  従動滑車
１５  索条
１６  走行レール
１７  走行レール
１８  搬器
２０  握索機
２１  走行ローラー
２２  サスペンダー
２３  客車
２４  ローラー本体
２５  軸受
２６  止め輪
２７  シャフト
２８  フランジ部
２９  雄ネジ
３０  ナット
３１  外輪
３２  内輪
３３  握索機ボディー
３４  止め輪溝
３５  取付孔
１０１  握索機ボディー
１０２  シャフト
１０３  ナット
１０４  フランジ部
１０５  走行ローラー
１０６  軸受
１０７  止め輪
【図１】
2020192845.tif 000003
【図２】
2020192845.tif 000004
【図３】
2020192845.tif 000005
【図４】
2020192845.tif 000006
【図５】
2020192845.tif 000007